(57)【特許請求の範囲】
【請求項１】
牛脂および豚脂の少なくとも一方と、炭酸水素ナトリウムと、流動パラフィンと、ロジン変性フェノール樹脂およびロジン変性アルキド樹脂の少なくとも一方と、エチルアルコールとを含むことを特徴とする洗浄剤。
【請求項２】
前記牛脂および前記豚脂の少なくとも一方の１０重量部に対し、前記炭酸水素ナトリウム５乃至２０重量部、前記流動パラフィンを５０乃至２００重量部、前記ロジン変性フェノール樹脂および前記ロジン変性アルキド樹脂の少なくとも一方を２乃至１０重量部、前記エチルアルコールを１０乃至３０重量部含むことを特徴とする請求項１記載の洗浄剤。
【請求項３】
ティーツリー油０．２乃至２重量部を含むことを特徴とする請求項２記載の洗浄剤。
【発明の詳細な説明】
【技術分野】
【０００１】
本発明は、洗浄剤に関する。
【背景技術】
【０００２】
自動車のフロントガラスには、走行中に虫などの衝突により汚れが付着するが、その汚れは虫の体液のために粘着性があり、なかなか除去しにくかった。
従来、固形ワツクス類0.5〜15重量％、シリコーン油0.1〜５重量％、非イオン界面活性剤１〜10重量％、陰イオン界面活性剤１〜５重量％、液状パラフイン８〜20重量％、水溶性高分子化合物５〜10重量％、及び残部が水からなるクリーナーが開示されている（例えば、特許文献１参照）。
また、従来、流動パラフィンとエチルアルコールと水とを含んでなる洗浄剤が種々、開示されている（例えば、特許文献２〜５参照）。
ところで、牛脂、豚脂は、産業廃棄物として大量に処分されており、処分に廃棄コストがかかることから問題となっている。
【先行技術文献】
【特許文献】
【０００３】
【特許文献１】特公平６１−２３３０９９号公報
【特許文献２】国際公開第２０１８／０２１１１０号
【特許文献３】特開２０１４−０７４１２５号公報
【特許文献４】特開２０１３−１８１１５３号公報
【特許文献５】特開平１０−２７３６９７号公報
【発明の概要】
【発明が解決しようとする課題】
【０００４】
しかしながら、特許文献１〜５に記載のクリーナー、洗浄剤でも、虫の衝突による汚れは十分に除去しにくいという課題があった。それらのクリーナー、洗浄剤では、虫の衝突による汚れが除去できたように見えても、汚れが広がって全体が白っぽくなっていた。さらに、その汚れ除去の効果は続かず、自動車の走行により次第にフロントガラスに虫の衝突による汚れが付着していた。
また、特許文献１〜５に記載のクリーナーでは、油剤を使用するものでも、牛脂や豚脂の利用は難しく、牛脂や豚脂の有効利用を図ることはできないという課題があった。
また、１つの洗浄剤で、衣類に付着した垢、たばこのヤニ、カビ、ペンキなどの汚れを除去できる洗浄剤は従来なかった。
【０００５】
本発明は、このような課題に着目してなされたもので、虫の衝突による汚れや、衣類に付着した垢、たばこのヤニ、カビ、ペンキ、コールタール、油性ペンのインクなどの汚れを容易に除去することができるとともに、汚れ除去の効果が長続きし、また、牛脂や豚脂の有効利用を図ることができる洗浄剤を提供することを目的とする。
【課題を解決するための手段】
【０００６】
本発明者は、虫の衝突による汚れが蛋白質を主成分とする虫の粘着性の体液によるものであることに着目し、試行錯誤の結果、本発明に至った。
すなわち、本発明に係る洗浄剤は、牛脂および豚脂の少なくとも一方と、炭酸水素ナトリウムと、流動パラフィンと、ロジン変性フェノール樹脂およびロジン変性アルキド樹脂の少なくとも一方と、エチルアルコールとを含むことを特徴とする。
【０００７】
本発明に係る洗浄剤は、前記牛脂および前記豚脂の少なくとも一方の１０重量部に対し、前記炭酸水素ナトリウム５乃至２０重量部、前記流動パラフィンを５０乃至２００重量部、前記ロジン変性フェノール樹脂および前記ロジン変性アルキド樹脂の少なくとも一方を２乃至１０重量部、前記エチルアルコールを１０乃至３０重量部含むことが好ましい。
本発明に係る洗浄剤は、さらにティーツリー油０．２乃至２重量部を含むことが好ましい。
【０００８】
本発明に係る洗浄剤は、重量比で等量乃至５０倍の水で希釈して使用される。
本発明に係る洗浄剤は、水で希釈し、除去する汚れに散布、塗布、その他の方法で付着させた後、布などで拭いて使用する。本発明に係る洗浄剤により、虫の衝突による汚れを容易に除去することができる。本発明に係る洗浄剤は、虫の衝突による汚れのほか、衣類に付着した垢、たばこのヤニ、カビ、ペンキ、コールタール、油性ペンのインクなどの汚れの除去にも使用可能である。本発明に係る洗浄剤による洗浄効果は、長期間持続可能である。本発明に係る洗浄剤は、牛脂および豚脂の少なくとも一方を含むため、廃棄物となる牛脂、豚脂などの有効利用を図ることができる。
本発明に係る洗浄剤は、ティーツリー油を含む場合、臭いを除去することができる。
【発明の効果】
【０００９】
本発明によれば、虫の衝突による汚れや、衣類に付着した垢、たばこのヤニ、カビ、ペンキ、コールタール、油性ペンのインクなどの汚れを容易に除去することができるとともに、汚れ除去の効果が長続きし、また、牛脂や豚脂の有効利用を図ることができる洗浄剤を提供することができる。
【発明を実施するための形態】
【００１０】
以下、本発明の実施の形態について説明する。
本発明の実施の形態の洗浄剤は、牛脂および豚脂の少なくとも一方と、炭酸水素ナトリウムと、流動パラフィンと、ロジン変性フェノール樹脂およびロジン変性アルキド樹脂の少なくとも一方と、エチルアルコールとを含む。本発明の実施の形態の洗浄剤は、牛脂および豚脂の少なくとも一方の１０重量部に対し、炭酸水素ナトリウム５乃至２０重量部、流動パラフィンを５０乃至２００重量部、ロジン変性フェノール樹脂およびロジン変性アルキド樹脂の少なくとも一方を２乃至１０重量部、エチルアルコールを１０乃至３０重量部含むことが好ましい。
さらに、ティーツリー油０．２乃至２重量部を含むことが好ましい。
【００１１】
実施の形態の洗浄剤は、重量比で等量乃至５０倍の水で希釈して使用される。水は、抗菌水から成ることが好ましい。抗菌水としては、ｐＨ１２〜１３の強アルカリ性電解水を用いることができる。
【００１２】
実施の形態の洗浄剤は、水で希釈し、除去する汚れに散布、塗布、その他の方法で付着させた後、布などで拭いて使用する。この洗浄剤により、虫の衝突による汚れを容易に除去することができる。虫の衝突による汚れのほか、衣類に付着した垢、たばこのヤニ、カビ、ペンキ、コールタール、油性ペンのインクなどの汚れの除去にも使用可能である。この洗浄剤による洗浄効果は、長期間持続可能である。自動車のフロントガラスに用いた場合、使用後１か月間、フロントガラスにほとんど虫の汚れを付着させない効果があった。本発明に係る洗浄剤は、牛脂および豚脂の少なくとも一方を含むため、廃棄物となる牛脂、豚脂などの有効利用を図ることができる。
本発明に係る洗浄剤は、ティーツリー油を含む場合、臭いを除去することができる。
【実施例】
【００１３】
以下の配合により、洗浄剤を製造した。
牛脂１０重量部に対し、炭酸水素ナトリウム１０重量部、流動パラフィン１００重量部、ロジン変性フェノール樹脂５重量部、エチルアルコールを１５重量部、精製水２００重量部を混合し、実施例１の洗浄剤を製造した。また、実施例１の洗浄剤にティーツリー油１重量部を混合し、実施例２の洗浄剤を製造した。製造した実施例１、２の洗浄剤をそれぞれ同じ型の噴霧器に収容した。
また、実施例１の洗浄剤でロジン変性フェノール樹脂の代わりにロジン変性フタル酸樹脂を加えた実施例３の洗浄剤と、実施例２の洗浄剤でロジン変性フェノール樹脂の代わりにロジン変性フタル酸樹脂を加えた実施例４の洗浄剤とを製造し、実施例１、２と同様に噴霧器に収容した。
【００１４】
また、比較のため、市販の窓ガラス洗浄剤として比較例１（「ガラスマジックリン」花王株式会社製）、比較例２（「スクラビングバブル  ガラスクリーナー」SCジョンソン社製）を準備した。製造した比較例１、２の洗浄液をそれぞれ実施例１、２と同じ型の噴霧器に収容した。
【００１５】
〔試験１〕
実施例１〜４と比較例１、２の洗浄剤の洗浄効果を確認するため、（ａ）多数の虫が衝突して付着したフロントガラス、（ｂ）たばこのヤニが付着した金属板、（ｃ）カビが付着した金属板、（ｄ）ペンキが付着した金属板、（ｅ）コールタールが付着した金属板、（ｆ）油性ペンのインクが付着した金属板を準備した。付着した虫は、羽虫や蛾、甲虫類などであった。
実施例１〜４と比較例１、２の洗浄剤を（ａ）〜（ｆ）にそれぞれ噴霧し、布タオルで拭いた。
その結果、実施例１〜４の洗浄剤では、いずれも（ａ）〜（ｆ）の汚れを容易に除去することができた。また、実施例１〜４の洗浄剤で洗浄した（ａ）のフロントガラスでは、洗浄後１か月間、ほとんど虫の汚れを付着させないコーティング効果があった。
それに対し、比較例１、２の洗浄剤では、（ａ）〜（ｆ）の汚れをいずれも容易には除去することができず、圧をかけて何度も擦ることで、汚れを薄くできる程度であった。また、比較例１、２の洗浄剤で洗浄した（ａ）のフロントガラスでは、洗浄後すぐに虫の汚れが付着してしまった。
【００１６】
〔試験２〕
実施例１〜４と、比較例１、２の各洗浄剤にティーツリー油を混合したものの臭い除去効果を確認するため、比較例１、２の各洗浄剤３３０ｇにそれぞれティーツリー油１ｇを混合したものを準備した。また、（ｇ）排泄後の人糞を紙に付着させ、１時間経過したものを準備した。
実施例１〜４と比較例１、２の各洗浄剤にティーツリー油を混合したものを（ｇ）の紙にそれぞれ噴霧し、噴霧から３分経過後、臭いを確認した。
その結果、実施例１、３の洗浄剤および比較例１、２の各洗浄剤にティーツリー油を混合したものでは、（ｇ）の臭いをある程度、除去することができたが、まだまだ臭っていた。それに対し、実施例２、４の洗浄剤では、（ｇ）の臭いをかなり除去することができた。
【要約】
【課題】虫の衝突による汚れや、衣類に付着した垢、たばこのヤニ、カビ、ペンキ、コールタール、油性ペンのインクなどの汚れを容易に除去することができるとともに、汚れ除去の効果が長続きし、また、牛脂や豚脂の有効利用を図ることができる洗浄剤を提供する。
【解決手段】牛脂および豚脂の少なくとも一方と、炭酸水素ナトリウムと、流動パラフィンと、ロジン変性フェノール樹脂およびアルキド樹脂の少なくとも一方と、エチルアルコールとを含む。牛脂および豚脂の少なくとも一方の１０重量部に対し、炭酸水素ナトリウム５乃至２０重量部、流動パラフィンを５０乃至２００重量部、ロジン変性フェノール樹脂およびアルキド樹脂の少なくとも一方を２乃至１０重量部、エチルアルコールを１０乃至３０重量部含むことが好ましい。さらに、ティーツリー油０．２乃至２重量部を含むことが好ましい。
【選択図】なし